(57)【要約】  本発明は、頭部装着型製品の技術分野に属し、特に、調整可能な頭部装着型構造に関する。調整可能な頭部装着型構造は、それぞれの一端が溝状ブラケット内に設けられているとともにオーバーラップして設けられた第一ヘッドバンド及び第二ヘッドバンドと、第二ヘッドバンドに固定接続された弾性シートと、溝状ブラケット内に設けられたボタンとを含む。第一ヘッドバンドは、溝状ブラケットに固定接続されており、第一ヘッドバンドの端部に、その長手方向に沿って延びる摺動空洞が設けられており、摺動空洞の一つの側辺に、複数の位置規制スロットが間隔を空けて設けられている。第二ヘッドバンドの端部には、切欠きが設けられている。弾性シートは、接続部と、切欠き内に位置する曲げ部とを含み、該曲げ部が、摺動空洞内に挿入されるとともに、一つの位置規制スロット内にスナップ嵌めされる。溝状ブラケットの位置規制スロットに近い側壁には、その長手方向に沿って延びる長い貫通孔が設けられている。ボタンは、長い貫通孔を貫いた押圧部と、押圧部に接続されたバッフル板とを含み、バッフル板と第二ヘッドバンドとの間に固定接続構造が設けられている。これにより、従来の頭部装着部の長さの調節が不便であり、位置調整完了後に位置決めができないという問題が解決される。  【選択図】図３
2019511862.tif 000002
【特許請求の範囲】
【請求項１】
一体化された上部シース、溝状ブラケット及び下部シースを含む調整可能な頭部装着型構造であって、
それぞれの一端が前記溝状ブラケット内に設けられた第一ヘッドバンド及び第二ヘッドバンドと、前記第二ヘッドバンドに固定接続された弾性シートと、ボタンとをさらに含み、
前記第一ヘッドバンドの端部と、前記第二ヘッドバンドの端部とがオーバーラップして設けられており、前記第一ヘッドバンドが、前記溝状ブラケットに固定接続されており、前記第一ヘッドバンドの前記端部に、その長手方向に沿って延びる摺動空洞が設けられており、前記摺動空洞における長手方向に沿って延びる側辺に、複数の位置規制スロットが間隔を空けて設けられており、前記第二ヘッドバンドの前記端部に切欠きが設けられており、
前記弾性シートが、接続部と、前記接続部に接続され、前記切欠き内に位置する曲げ部とを含み、前記曲げ部が、前記摺動空洞内に挿入されるとともに、一つの前記位置規制スロット内にスナップ嵌めされており、
前記溝状ブラケットの前記位置規制スロットに近い側壁に、その長手方向に沿って延びる長い貫通孔が設けられており、
前記ボタンが、前記溝状ブラケット内に設けられ、前記曲げ部に接続されており、前記長い貫通孔を貫いた押圧部と、前記押圧部に接続されたバッフル板とを含み、
前記バッフル板と前記第二ヘッドバンドとの間に固定接続構造が設けられている、
ことを特徴とする調整可能な頭部装着型構造。
【請求項２】
前記曲げ部がＵ字状をなしており、前記曲げ部の前記位置規制スロットに近い側壁に、接続孔が設けられており、前記バッフル板に、前記接続孔内に挿入される接続柱が設けられており、前記接続柱と前記バッフル板との間に、押さえ板がさらに設けられている、
ことを特徴とする請求項１に記載の調整可能な頭部装着型構造。
【請求項３】
前記接続柱の周囲にＵ字状の保持壁が設けられており、前記保持壁の対向した両側壁の外側の間の距離が、前記切欠きの前記第二ヘッドバンドの長手方向に沿った幅と同じであり、前記保持壁の長さが、前記切欠きの前記第二ヘッドバンドの幅方向に沿った長さよりも大きく、前記保持壁の各側壁に、前記切欠き内に挿入される延伸部がそれぞれ設けられている、
ことを特徴とする請求項２に記載の調整可能な頭部装着型構造。
【請求項４】
前記押圧部、前記バッフル板、前記押さえ板、前記接続柱、前記保持壁及び前記延伸部が一体に射出成形されている、
ことを特徴とする請求項３に記載の調整可能な頭部装着型構造。
【請求項５】
前記固定接続構造が、前記バッフル板上に間隔を空けて設けられたリブと、そのリブに対応させて前記第二ヘッドバンドの側辺に設けられたスナップイン溝とを含むか、又は、前記バッフル板上に間隔を空けて設けられたスナップイン溝と、そのスナップイン溝に対応させて前記第二ヘッドバンドの側辺に設けられたリブとを含み、前記リブが、対応する前記スナップイン溝内にスナップ嵌めされる、
ことを特徴とする請求項１〜４のいずれか一項に記載の調整可能な頭部装着型構造。
【請求項６】
前記摺動空洞の側辺に、複数の突起が間隔を空けて設けられており、前記複数の突起のうちの隣接する二つの突起の間、及び、最も外側の突起とそれに隣接する前記摺動空洞の側壁との間には、それぞれ、前記複数の位置規制スロットのうちの一つが形成されている、
ことを特徴とする請求項５に記載の調整可能な頭部装着型構造。
【請求項７】
前記摺動空洞の長さが、前記長い貫通孔の長さ以上である、
ことを特徴とする請求項１に記載の調整可能な頭部装着型構造。
【請求項８】
前記摺動空洞が、前記第一ヘッドバンドを貫通した長方形の孔であるか、又は、前記第一ヘッドバンドの側面に設けられた長いスロットである、
ことを特徴とする請求項７に記載の調整可能な頭部装着型構造。
【請求項９】
前記弾性シートが、一体に曲げ成形された金属シートである、
ことを特徴とする請求項１に記載の調整可能な頭部装着型構造。
【発明の詳細な説明】
【技術分野】
【０００１】
本発明は、頭部装着型製品の技術分野に属し、特に、調整可能な頭部装着型構造に関する。
【背景技術】
【０００２】
技術の発達とユーザの需要の増大に伴い、頭部装着型ヘッドフォンの頭部装着部に対する要求が高まっている。ユーザが異なることによって、頭部装着部の長さに対する要求が異なり、クランプ力の大きさに対する要求も異なる。従来の調整可能な頭部装着型製品は、長さの調整が実現できるが、その主な欠点としては、位置調整後にその位置を決めておくことが難しいという点である。つまり、頭部装着部が所要の長さになる位置を維持することができず、最終的にクランプ力が不安定になり、利用者に不快感を与え、利用者に多大な不便をかけてしまうことである。
【発明の概要】
【発明が解決しようとする課題】
【０００３】
本発明は、従来の頭部装着部の長さの調節が不便であり、位置調整完了後に位置決めができないという問題を解決するための調整可能な頭部装着型構造を提供することを目的とする。
【課題を解決するための手段】
【０００４】
本発明は、下記のように実現される。一体化された上部シース、溝状ブラケット及び下部シースを含む調整可能な頭部装着型構造であって、それぞれの一端が前記溝状ブラケット内に設けられた第一ヘッドバンド及び第二ヘッドバンドと、前記第二ヘッドバンドに固定接続された弾性シートと、ボタンとをさらに含み、前記第一ヘッドバンドの端部と、前記第二ヘッドバンドの端部とがオーバーラップして設けられており、前記第一ヘッドバンドが、前記溝状ブラケットに固定接続されており、前記第一ヘッドバンドの前記端部に、その長手方向に沿って延びる摺動空洞が設けられており、前記摺動空洞における長手方向に沿って延びる側辺に、複数の位置規制スロットが間隔を空けて設けられており、前記第二ヘッドバンドの前記端部に切欠きが設けられており、前記弾性シートが、接続部と、前記接続部に接続され、前記切欠き内に位置する曲げ部とを含み、前記曲げ部が、前記摺動空洞内に挿入されるとともに、一つの前記位置規制スロット内にスナップ嵌めされており、前記溝状ブラケットの前記位置規制スロットに近い側壁に、その長手方向に沿って延びる長い貫通孔が設けられており、前記ボタンが、前記溝状ブラケット内に設けられ、前記曲げ部に接続されており、前記長い貫通孔を貫いた押圧部と、前記押圧部に接続されたバッフル板とを含み、前記バッフル板と前記第二ヘッドバンドとの間に固定接続構造が設けられている。
【０００５】
好ましくは、前記曲げ部がＵ字状をなしており、前記曲げ部の前記位置規制スロットに近い側壁に、接続孔が設けられており、前記バッフル板に、前記接続孔内に挿入される接続柱が設けられており、前記接続柱と前記バッフル板との間に、押さえ板がさらに設けられている。
【０００６】
好ましくは、前記接続柱の周囲にＵ字状の保持壁が設けられており、前記保持壁の対向した両側壁の外側の間の距離が、前記切欠きの前記第二ヘッドバンドの長手方向に沿った幅と同じであり、前記保持壁の長さが、前記切欠きの前記第二ヘッドバンドの幅方向に沿った長さよりも大きく、前記保持壁の各側壁に、前記切欠き内に挿入される延伸部がそれぞれ設けられている。
【０００７】
好ましくは、前記押圧部、前記バッフル板、前記押さえ板、前記接続柱、前記保持壁及び前記延伸部が一体に射出成形されている。
【０００８】
好ましくは、前記固定接続構造が、前記バッフル板上に間隔を空けて設けられたリブと、そのリブに対応させて前記第二ヘッドバンドの側辺に設けられたスナップイン溝とを含むか、又は、前記バッフル板上に間隔を空けて設けられたスナップイン溝と、そのスナップイン溝に対応させて前記第二ヘッドバンドの側辺に設けられたリブとを含み、前記リブが、対応する前記スナップイン溝内にスナップ嵌めされる。
【０００９】
好ましくは、前記摺動空洞の側辺に、複数の突起が間隔を空けて設けられており、前記複数の突起のうちの隣接する二つの突起の間、及び、最も外側の突起とそれに隣接する前記摺動空洞の側壁との間には、それぞれ、前記複数の位置規制スロットのうちの一つが形成されている。
【００１０】
好ましくは、前記摺動空洞の長さが、前記長い貫通孔の長さ以上である。
【００１１】
好ましくは、前記摺動空洞が、前記第一ヘッドバンドを貫通した長方形の孔であるか、又は、前記第一ヘッドバンドの側面に設けられた長いスロットである。
【００１２】
好ましくは、前記弾性シートが、一体に曲げ成形された金属シートである。
【発明の効果】
【００１３】
上記技術案を用いているため、本発明による調整可能な頭部装着型構造は、一体化された上部シース、溝状ブラケット及び下部シースを含み、また、それぞれの一端が溝状ブラケット内に設けられた第一ヘッドバンド及び第二ヘッドバンドと、弾性シートと、ボタンとをさらに含み、第一ヘッドバンドの端部と、第二ヘッドバンドの端部とがオーバーラップして設けられており、第一ヘッドバンドが、溝状ブラケットに固定接続されており、第一ヘッドバンドの端部に、その長手方向に沿って延びる摺動空洞が設けられており、摺動空洞における長手方向に沿って延びる側辺に、複数の位置規制スロットが間隔を空けて設けられており、第二ヘッドバンドの端部に切欠きが設けられており、弾性シートが、第二ヘッドバンドに固定接続された接続部と、接続部に接続され、切欠き内に位置する曲げ部とを含み、曲げ部が、摺動空洞内に挿入されるとともに、一つの位置規制スロット内にスナップ嵌めされており、溝状ブラケットの位置規制スロットに近い側壁に、その長手方向に沿って延びる長い貫通孔が設けられており、ボタンが、溝状ブラケット内に設けられ、曲げ部に接続されており、長い貫通孔を貫いた押圧部と、押圧部に接続されたバッフル板とを含み、バッフル板と第二ヘッドバンドとの間に固定接続構造が設けられている。これにより、頭部装着部の長さを調整する必要がある場合には、ボタンの押圧部を押圧すると、ボタンが曲げ部に接続されているので、曲げ部が押圧されて弾性変形して、位置規制スロットから外れる。このとき、ボタンを長い貫通孔の方向にスライドさせると、ボタンのバッフル板が第二ヘッドバンドに固定接続されているので、ボタンが第二ヘッドバンドを伴って溝状ブラケットの延伸方向に沿って移動することができ、第一ヘッドバンドと第二ヘッドバンドとのオーバーラップ長が変わるようになる。これによって、頭部装着部の全長を変えることができ、頭部装着部の長さの調整が容易に実現可能となる。そして、適切な位置に移動して、ボタンの押圧部を解放すると、曲げ部の弾性力により、曲げ部がもう一つの位置規制スロットにスナップ嵌めされて、位置決めが実現される。したがって、第一ヘッドバンドと第二ヘッドバンドとの間の相対的な長さは変化しなくなるので、頭部装着部の位置調整後に位置決めができないという問題が解決される。
【図面の簡単な説明】
【００１４】
【図１】本発明の実施例による調整可能な頭部装着型構造の分解構造を示す模式図である。
【図２】本発明の実施例による調整可能な頭部装着型構造の断面構造を示す模式図である。
【図３】図２においてＡ箇所を拡大した構造を示す模式図である。
【図４】本発明の実施例による調整可能な頭部装着型構造のボタンの立体構造を示す模式図である。
【図５】本発明の実施例による調整可能な頭部装着型構造の弾性シートの立体構造を示す模式図である。
【発明を実施するための形態】
【００１５】
本発明の目的、技術案及び利点がさらに明確になるように、以下、図面及び実施例を参照しながら、本発明をさらに詳しく説明する。ここに記載された具体的な実施例は、本発明を解釈するためにのみ用いられ、本発明を限定するものではないことを理解すべきである。
【００１６】
図１乃至図５から分かるように、本発明の一実施例による調整可能な頭部装着型構造は、順番に一体化された上部シース１１、溝状ブラケット１３及び下部シース１２を含み、上部シース１１が溝状ブラケット１３のノッチ側に設けられており、下部シース１２が溝状ブラケット１３の溝底面側に設けられている。具体的に、上部シース１１及び下部シース１２の側辺近傍の位置に、複数のスナップジョイントがそれぞれ設けられており、それらに対応して、溝状ブラケット１３の溝壁の内側に複数のスナップイン溝が設けられている。また、本実施例の調整可能な頭部装着型構造は、それぞれの一端が溝状ブラケット１３内に設けられた第一ヘッドバンド１４及び第二ヘッドバンド１５と、第二ヘッドバンド１５に固定接続された弾性シート１６と、溝状ブラケット１３内に設けられ、弾性シート１６の曲げ部１６２に接続されたボタン１７とをさらに含む。第一ヘッドバンド１４の端部と、第二ヘッドバンド１５の端部とがオーバーラップして設けられている。第一ヘッドバンド１４は、溝状ブラケット１３に固定接続されており、具体的には、ネジによって溝状ブラケット１３との接続が実現されている。第一ヘッドバンド１４の上記端部には、その長手方向に沿って延びる摺動空洞１４１が設けられており、摺動空洞１４１における長手方向に沿って延びる側辺に、複数の位置規制スロット１４２が間隔を空けて設けられている。第二ヘッドバンド１５の上記端部には、切欠き１５１が設けられている。なお、本実施例においては、摺動空洞１４１が、第一ヘッドバンド１４を貫通した長方形の孔である一例を示したが、無論、第一ヘッドバンド１４の側面に設けられた長いスロットであってもよい。弾性シート１６は、接続部１６１と、その接続部１６１に接続され、切欠き１５１内に位置する曲げ部１６２とを含む。曲げ部１６２は、摺動空洞１４１内に挿入されるとともに、一つの位置規制スロット１４２内にスナップ嵌めされている。接続部１６１は、具体的に、ネジによって第二ヘッドバンド１５との接続が実現されている。溝状ブラケット１３の位置規制スロット１４２に近い側壁には、その長手方向に沿って延びる長い貫通孔１３１が設けられている。ボタン１７は、長い貫通孔１３１を貫いた押圧部１７１と、押圧部１７１に接続されたバッフル板１７２とを含む。バッフル板１７２と第二ヘッドバンド１５との間には、固定接続構造が設けられている。
【００１７】
頭部装着部の長さを調整する必要がある場合には、ボタン１７の押圧部１７１を押圧すると、ボタン１７が曲げ部１６２に接続されているので、曲げ部１６２が押圧されて弾性変形して、位置規制スロット１４２から外れる。このとき、ボタン１７を長い貫通孔１３１の方向にスライドさせると、ボタン１７のバッフル板１７２が第二ヘッドバンド１５に固定接続されているので、ボタン１７が、第二ヘッドバンド１５を伴って溝状ブラケット１３の延伸方向に沿って移動することができ、第一ヘッドバンド１４と第二ヘッドバンド１５とのオーバーラップ長が変わるようになる。これによって、頭部装着部の全長を変えることができ、頭部装着部の長さの調整が容易に実現可能となる。頭部装着部の長さが変化すれば、対応する弧度が変化し、異なる押圧力が発生するようになる。そして、適切な位置に移動して、ボタン１７の押圧部１７１を解放すると、曲げ部１６２の弾性力により、曲げ部１６２がもう一つの位置規制スロット１４２にスナップ嵌めされて、位置決めが実現される。したがって、第一ヘッドバンド１４と第二ヘッドバンド１５との間の相対的な長さは変化しなくなるので、頭部装着部の位置調整後に位置決めができないという問題が解決される。
【００１８】
本実施例において、上記の固定接続構造は、バッフル板１７２上に間隔をあけて設けられたリブ１７５と、そのリブ１７５に対応させて第二ヘッドバンド１５の側辺に設けられたスナップイン溝１５２とを含み、リブ１７５が、対応するスナップイン溝１５２内にスナップ嵌めされ、バッフル板１７２を第二ヘッドバンド１５に固定接続する。無論、スナップイン溝をバッフル板１７２に設け、リブを第二ヘッドバンド１５の側辺に設けて、リブを対応するスナップイン溝内にスナップ嵌めしてもよい。
【００１９】
本実施例において、曲げ部１６２はＵ字状をなしており、曲げ部１６２の位置規制スロット１４２に近い側壁には、接続孔１６３が設けられている。バッフル板１７２には、接続孔１６３内に挿入される接続柱１７３が設けられており、接続柱１７３とバッフル板１７２との間に、押さえ板１７４がさらに設けられている。ボタン１７の押圧部１７１が押圧されると、押さえ板１７４が曲げ部１６２を押圧し、接続柱１７３によりボタン１７と弾性シート１６の曲げ部１６２との接続が実現され、押圧時における歪みの発生が防止される。
【００２０】
接続柱１７３の周囲にはＵ字状の保持壁１７６が設けられており、その対向した両側壁の外側の間の距離が、切欠き１５１の第二ヘッドバンド１５の長手方向に沿った幅と同じであり、かつ、保持壁１７６の長さが、切欠き１５１の第二ヘッドバンド１５の幅方向に沿った長さよりも大きくなっている。さらに、保持壁１７６の各側壁には、切欠き１５１内に挿入される延伸部１７７がそれぞれ設けられている。このような構成により、ボタン１７と第二ヘッドバンド１５との接続性能を向上させることができる。
【００２１】
さらに、押圧部１７１、バッフル板１７２、押さえ板１７４、接続柱１７３、保持壁１７６及び延伸部１７７が一体に射出成形されている。
【００２２】
本実施例において、摺動空洞１４１のその長手方向に沿って延びる側辺には、複数の突起が間隔を空けて設けられており、それらの突起のうちの隣接する二つの突起の間、及び、最も外側の突起とそれに隣接する摺動空洞１４１の側壁との間には、それぞれ、複数の位置規制スロット１４２のうちの一つが形成されている。
【００２３】
本実施例において、摺動空洞１４１の長さは、長い貫通孔１３１の長さ以上である。これにより、長い貫通孔１３１の長さを十分に活用することができ、また、調整可能な長さ範囲も、長い貫通孔１３１の長さ範囲内に制限される。
【００２４】
本実施例において、弾性シート１６は、一体に曲げ成形された金属シートである。これにより、弾性シート１６の加工及び製造が容易となり、生産効率を向上させることができる。
【００２５】
上記したのは、あくまでも本発明の好ましい実施例であり、本発明を限定するものではない。本発明の精神及び原則内になされたいかなる補正、均等的置換及び改良等は、いずれも本発明の保護範囲内に含まれるべきである。
【符号の説明】
【００２６】
１１…上部シース
１２…下部シース
１３…溝状ブラケット
１３１…長い貫通孔
１４…第一ヘッドバンド
１４１…摺動空洞
１４２…位置規制スロット
１５…第二ヘッドバンド
１５１…切欠き
１５２…スナップイン溝
１６…弾性シート
１６１…接続部
１６２…曲げ部
１６３…接続孔
１７…ボタン
１７１…押圧部
１７２…バッフル板
１７３…接続柱
１７４…押さえ板
１７５…リブ
１７６…保持壁
１７７…延伸部
【図１】
2019511862.tif 000003
【図２】
2019511862.tif 000004
【図３】
2019511862.tif 000005
【図４】
2019511862.tif 000006
【図５】
2019511862.tif 000007
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
一体化された上部シース、溝状ブラケット及び下部シースを含む調整可能な頭部装着型構造であって、
それぞれの一端が前記溝状ブラケット内に設けられた第一ヘッドバンド及び第二ヘッドバンドと、前記第二ヘッドバンドに固定接続された弾性シートと、ボタンとをさらに含み、
前記第一ヘッドバンドの端部と、前記第二ヘッドバンドの端部とがオーバーラップして設けられており、前記第一ヘッドバンドが、前記溝状ブラケットに固定接続されており、前記第一ヘッドバンドの前記端部に、その長手方向に沿って延びる摺動空洞が設けられており、前記摺動空洞における長手方向に沿って延びる側辺に、複数の位置規制スロットが間隔を空けて設けられており、前記第二ヘッドバンドの前記端部に切欠きが設けられており、
前記弾性シートが、接続部と、前記接続部に接続され、前記切欠き内に位置し、Ｕ字状をなした曲げ部とを含み、前記曲げ部が、前記摺動空洞内に挿入されるとともに、一つの前記位置規制スロット内にスナップ嵌めされており、
前記溝状ブラケットの前記位置規制スロットに近い側壁に、その長手方向に沿って延びる長い貫通孔が設けられており、
前記ボタンが、前記溝状ブラケット内に設けられ、前記曲げ部に接続されており、前記長い貫通孔を貫いた押圧部と、前記押圧部に接続されたバッフル板とを含み、
前記バッフル板と前記第二ヘッドバンドとの間に固定接続構造が設けられている、
ことを特徴とする調整可能な頭部装着型構造。
【請求項２】
前記曲げ部の前記位置規制スロットに近い側壁に、接続孔が設けられており、前記バッフル板に、前記接続孔内に挿入される接続柱が設けられており、前記接続柱と前記バッフル板との間に、押さえ板がさらに設けられている、
ことを特徴とする請求項１に記載の調整可能な頭部装着型構造。
【請求項３】
前記接続柱の周囲にＵ字状の保持壁が設けられており、前記保持壁の対向した両側壁の外側の間の距離が、前記切欠きの前記第二ヘッドバンドの長手方向に沿った幅と同じであり、前記保持壁の長さが、前記切欠きの前記第二ヘッドバンドの幅方向に沿った長さよりも大きく、前記保持壁の各側壁に、前記切欠き内に挿入される延伸部がそれぞれ設けられている、
ことを特徴とする請求項２に記載の調整可能な頭部装着型構造。
【請求項４】
前記押圧部、前記バッフル板、前記押さえ板、前記接続柱、前記保持壁及び前記延伸部が一体に射出成形されている、
ことを特徴とする請求項３に記載の調整可能な頭部装着型構造。
【請求項５】
前記固定接続構造が、前記バッフル板上に間隔を空けて設けられたリブと、そのリブに対応させて前記第二ヘッドバンドの側辺に設けられたスナップイン溝とを含むか、又は、前記バッフル板上に間隔を空けて設けられたスナップイン溝と、そのスナップイン溝に対応させて前記第二ヘッドバンドの側辺に設けられたリブとを含み、前記リブが、対応する前記スナップイン溝内にスナップ嵌めされる、
ことを特徴とする請求項１〜４のいずれか一項に記載の調整可能な頭部装着型構造。
【請求項６】
前記摺動空洞の側辺に、複数の突起が間隔を空けて設けられており、前記複数の突起のうちの隣接する二つの突起の間、及び、最も外側の突起とそれに隣接する前記摺動空洞の側壁との間には、それぞれ、前記複数の位置規制スロットのうちの一つが形成されている、
ことを特徴とする請求項５に記載の調整可能な頭部装着型構造。
【請求項７】
前記摺動空洞の長さが、前記長い貫通孔の長さ以上である、
ことを特徴とする請求項１に記載の調整可能な頭部装着型構造。
【請求項８】
前記摺動空洞が、前記第一ヘッドバンドを貫通した長方形の孔であるか、又は、前記第一ヘッドバンドの側面に設けられた長いスロットである、
ことを特徴とする請求項７に記載の調整可能な頭部装着型構造。
【請求項９】
前記弾性シートが、一体に曲げ成形された金属シートである、
ことを特徴とする請求項１に記載の調整可能な頭部装着型構造。
【手続補正２】
【補正対象書類名】明細書
【補正対象項目名】０００４
【補正方法】変更
【補正の内容】
【０００４】
本発明は、下記のように実現される。一体化された上部シース、溝状ブラケット及び下部シースを含む調整可能な頭部装着型構造であって、それぞれの一端が前記溝状ブラケット内に設けられた第一ヘッドバンド及び第二ヘッドバンドと、前記第二ヘッドバンドに固定接続された弾性シートと、ボタンとをさらに含み、前記第一ヘッドバンドの端部と、前記第二ヘッドバンドの端部とがオーバーラップして設けられており、前記第一ヘッドバンドが、前記溝状ブラケットに固定接続されており、前記第一ヘッドバンドの前記端部に、その長手方向に沿って延びる摺動空洞が設けられており、前記摺動空洞における長手方向に沿って延びる側辺に、複数の位置規制スロットが間隔を空けて設けられており、前記第二ヘッドバンドの前記端部に切欠きが設けられており、前記弾性シートが、接続部と、前記接続部に接続され、前記切欠き内に位置し、Ｕ字状をなした曲げ部とを含み、前記曲げ部が、前記摺動空洞内に挿入されるとともに、一つの前記位置規制スロット内にスナップ嵌めされており、前記溝状ブラケットの前記位置規制スロットに近い側壁に、その長手方向に沿って延びる長い貫通孔が設けられており、前記ボタンが、前記溝状ブラケット内に設けられ、前記曲げ部に接続されており、前記長い貫通孔を貫いた押圧部と、前記押圧部に接続されたバッフル板とを含み、前記バッフル板と前記第二ヘッドバンドとの間に固定接続構造が設けられている。
【手続補正３】
【補正対象書類名】明細書
【補正対象項目名】０００５
【補正方法】変更
【補正の内容】
【０００５】
好ましくは、前記曲げ部の前記位置規制スロットに近い側壁に、接続孔が設けられており、前記バッフル板に、前記接続孔内に挿入される接続柱が設けられており、前記接続柱と前記バッフル板との間に、押さえ板がさらに設けられている。
【手続補正４】
【補正対象書類名】明細書
【補正対象項目名】００１３
【補正方法】変更
【補正の内容】
【００１３】
上記技術案を用いているため、本発明による調整可能な頭部装着型構造は、一体化された上部シース、溝状ブラケット及び下部シースを含み、また、それぞれの一端が溝状ブラケット内に設けられた第一ヘッドバンド及び第二ヘッドバンドと、弾性シートと、ボタンとをさらに含み、第一ヘッドバンドの端部と、第二ヘッドバンドの端部とがオーバーラップして設けられており、第一ヘッドバンドが、溝状ブラケットに固定接続されており、第一ヘッドバンドの端部に、その長手方向に沿って延びる摺動空洞が設けられており、摺動空洞における長手方向に沿って延びる側辺に、複数の位置規制スロットが間隔を空けて設けられており、第二ヘッドバンドの端部に切欠きが設けられており、弾性シートが、第二ヘッドバンドに固定接続された接続部と、接続部に接続され、切欠き内に位置し、Ｕ字状をなした曲げ部とを含み、曲げ部が、摺動空洞内に挿入されるとともに、一つの位置規制スロット内にスナップ嵌めされており、溝状ブラケットの位置規制スロットに近い側壁に、その長手方向に沿って延びる長い貫通孔が設けられており、ボタンが、溝状ブラケット内に設けられ、曲げ部に接続されており、長い貫通孔を貫いた押圧部と、押圧部に接続されたバッフル板とを含み、バッフル板と第二ヘッドバンドとの間に固定接続構造が設けられている。これにより、頭部装着部の長さを調整する必要がある場合には、ボタンの押圧部を押圧すると、ボタンが曲げ部に接続されているので、曲げ部が押圧されて弾性変形して、位置規制スロットから外れる。このとき、ボタンを長い貫通孔の方向にスライドさせると、ボタンのバッフル板が第二ヘッドバンドに固定接続されているので、ボタンが第二ヘッドバンドを伴って溝状ブラケットの延伸方向に沿って移動することができ、第一ヘッドバンドと第二ヘッドバンドとのオーバーラップ長が変わるようになる。これによって、頭部装着部の全長を変えることができ、頭部装着部の長さの調整が容易に実現可能となる。そして、適切な位置に移動して、ボタンの押圧部を解放すると、曲げ部の弾性力により、曲げ部がもう一つの位置規制スロットにスナップ嵌めされて、位置決めが実現される。したがって、第一ヘッドバンドと第二ヘッドバンドとの間の相対的な長さは変化しなくなるので、頭部装着部の位置調整後に位置決めができないという問題が解決される。
【国際調査報告】
2019511862.tif 000008
2019511862.tif 000009
2019511862.tif 000010
2019511862.tif 000011